(57)【要約】      （修正有）【課題】自然な外観で箱体の内側の仕切り片に説明等を印刷するスペースを設けた表示片付包装用箱を提供する。【解決手段】一枚のブランクシートから一体的に打ち抜かれた箱体形成片から成り、箱体形成片には、互いに連接される側面１４，１６，１８，２０と、側面同士を糊付けして箱体とする糊付け片２２を有する。糊付片２２に連接され、箱体内側へ延出する表示片７８を有する。表示片７８は、第一表示片と第二表示片８４が、印刷面を外側にして折り重ねられている。表示片７８は、箱体形成片の組立状態で、側面１６から所定間隔離れて略平行に位置し、収容物の一部に接して緩衝機能を有している。【選択図】図１
0003161821.tif 000002
【実用新案登録請求の範囲】
【請求項１】
一枚のブランクシートから一体的に打ち抜かれた箱体形成片から成り、この箱体形成片には、互いに連接される側面と、前記側面同士を糊付けして箱体とする糊付け片と、前記糊付片に連接され前記箱体内側へ延出する表示片が設けられ、前記表示片には印刷が施されていることを特徴とする表示片付包装用箱。
【請求項２】
前記表示片は、第一表示片と第二表示片が、印刷面を外側にして折り重ねられて設けられ、前記表示片は前記箱体形成片の組立状態で前記側面から所定間隔離れて略平行に位置し、収容物の一部に接して緩衝機能を有している請求項１記載の表示片付包装用箱。
【請求項３】
前記表示片の、収容物を挿入する方向に交差する端部は、前記表示片の中心に向かってＶ字状にくぼんだ形状である請求項１記載の表示片付包装用箱。
【請求項４】
前記箱体形成片には、互いに連接される側面の開口部を閉鎖する蓋片が設けられ、前記表示片は前記箱体形成片の組立状態で前記蓋片に交差し、前記表示片の、前記蓋片に交差する端部には、前記表示片付包装用箱の開封時に前記蓋片を押し込む部分に凹部が形成されている請求項１記載の表示片付包装用箱。
【考案の詳細な説明】
【技術分野】
【０００１】
この考案は、箱体形成片と一体に表示片が設けられている表示片付包装用箱に関する。
【背景技術】
【０００２】
従来、商品を収容して店頭に陳列する包装用箱には、商品の説明等が印刷された表示片が一体に設けられたものがある。例えば、特許文献１に開示されている表示片付包装用箱は、複数枚の側面と、この一側面に連接して設けられ隣接する側面に沿って折り重ねられる表示片が備えられている。この表示片の一部は、折り重ねられた側面に接着され、この表示片と側面の境界に、断続する切込線等で形成された切離線が形成され、分離可能に設けられている。
【０００３】
また、特許文献２に開示されているカートンは、複数枚の側面と、前記側面をスリーブに組み立てる閉鎖タブと、前記スリーブの開口を閉鎖する端部フラップが設けられている。この一側面には表示片が連接して設けられ、隣接するその他の側面の表側面に重ねられている。表示片には、端部フラップの表面に糊づけされる固着用フラップが設けられ、前記表示片と前記固着用フラップの間に切離線が形成されている。
【０００４】
特許文献３に開示されている表示片付包装用箱は、箱体と、箱体の上方に立設される吊下片と、吊下片の裏上端部に連接され箱体の裏面に折り返され吊下片よりも長く下方に延出した表示片が設けられているものである。
【先行技術文献】
【特許文献】
【０００５】
【特許文献１】特開平１１−２５５２３３号公報
【特許文献２】特表２０００−５１５１０１号公報
【特許文献３】特開２００９−２８０２６８号公報
【考案の概要】
【考案が解決しようとする課題】
【０００６】
上記各背景技術の場合、包装用箱の箱体の外側に表示片が重ねられているため、表示片が他部材に引っかかって、糊が剥がれたり切離線が破断されたりする恐れがある。また、表示片が折れたり破断したりして、印刷された文字等が読みにくくなる恐れもある。さらに、表示片と側面の間に切離線が設けられて分離可能なものもあるが、分離する際に切離線がきれいに切れない場合は表示片が破損して読みにくくなることがあった。
【０００７】
この考案は、上記背景技術の問題点に鑑みてなされたものであり、自然な外観で箱体の内側の仕切り片に説明等を印刷するスペースを設けた表示片付包装用箱を提供することを目的とする。
【課題を解決するための手段】
【０００８】
本考案は、一枚のブランクシートから一体的に打ち抜かれた箱体形成片から成り、この箱体形成片には、互いに連接される側面と、前記側面同士を糊付けして箱体とする糊付け片と、前記糊付片に連接され前記箱体内側へ延出する表示片が設けられ、前記表示片には印刷が施されている表示片付包装用箱である。
【０００９】
前記表示片は、第一表示片と第二表示片が、印刷面を外側にして折り重ねられて設けられ、前記表示片は前記箱体形成片の組立状態で前記側面から所定間隔離れて略平行に位置し、収容物の一部に接して緩衝機能を有している。
【００１０】
前記表示片の、収容物を挿入する方向に交差する端部は、前記表示片の中心に向かってＶ字状にくぼんだ形状である。
【００１１】
前記箱体形成片には、互いに連接される側面の開口部を閉鎖する蓋片が設けられ、前記表示片は前記箱体形成片の組立状態で前記蓋片に交差し、前記表示片の、前記蓋片に交差する端部には、前記表示片付包装用箱の開封時に前記蓋片を押し込む部分に凹部が形成されている。
【考案の効果】
【００１２】
本考案の表示片付包装用箱は、簡単な構造で箱体の内側の仕切り片に商品の説明を印刷して表示片とすることができ、自然な外見であり、商品の説明を印刷するデザインスペースを広い面積で設けることができ、また説明書の入れ忘れを防ぐことができる。これにより、中の商品を保護する仕切り片と説明書を兼用して、部材の増加なしに簡単な構成で、必要な機能を満足することができるものである。
【図面の簡単な説明】
【００１３】
【図１】この考案の一実施形態の表示片付包装用箱の開封状態を示す斜視図である。
【図２】この実施形態の表示片付包装用箱の開封状態を示す斜視図である。
【図３】この実施形態の表示片付包装用箱の組立工程を示す斜視図である。
【図４】この実施形態の表示片付包装用箱の未開封状態を示す斜視図である。
【図５】この実施形態の表示片付包装用箱の展開図である。
【考案を実施するための形態】
【００１４】
以下、この考案の実施形態について図面に基づいて説明する。図１〜図４はこの考案の一実施形態を示すもので、この実施形態の表示片付包装用箱１０は、紙製等の一枚のブランクシートを打ち抜いて形成された箱体形成片１２を組み立てて設けられている。
【００１５】
図５は、箱体形成片１２を表面から見た展開図であり、箱体形成片１２は側面１４，１６，１８，２０が、互いに平行に連接して形成されている。側面１４，１６，１８，２０は、連接している幅方向は同じ長さであり、連接方向の長さは側面１４，１８が短くて互いにほぼ等しく、側面１６，２０は長くて互いにほぼ等しい。さらに、側面２０の側縁部には、表示片付包装用箱１０の組立状態で側面１４の裏面に糊付けされる糊付片２２が設けられている。糊付片２２は、側面１４，１８よりも連接方向の幅が少し短く設けられている。側面１６は、連接する側面１４，１８とはミシン線２４，２６で各々区切られている。側面２０は、側面１８、糊付片２２とは折罫線２８，３０で各々区切られている。
【００１６】
側面１４において、側面同士の連接方向に対して直角な方向の一端部には、矩形のフラップ３２が折罫線３４で区切られて設けられている。側面１４の、折罫線３４と反対側の端部にも、矩形のフラップ３６が折罫線３８で区切られて設けられている。
【００１７】
側面１６の、側面１４の折罫線３４に隣接する端部には、矩形の外蓋片４０が折罫線４１で区切られて設けられている。折罫線４１にはミシン線４２が重ねられて形成されている。ミシン線４２は、折罫線４１の中心では、外蓋片４０の中心に向かって半円形に膨出し、折罫線４１の両端部では側面１６の角部を面取りするように斜めに延出し、ミシン線２４，２６に連続している。側面１６の、折罫線４１と反対側の端部には、矩形の外蓋片４６が折罫線４８で区切られて設けられている。
【００１８】
側面１８の、側面１６の折罫線４１に隣接する端部には、緩衝片５０が折罫線５２で区切られて設けられている。緩衝片５０は、側面１８裏面へ向かってコの字形に折り返されるための２個の折罫線５４，５６が設けられ、前記折罫線５４，５６は折罫線５２に対して平行に設けられている。緩衝片５０の先端には、側面１８裏面に糊付けされる糊付片５８が折罫線６０で区切られて設けられている。側面１８の折罫線５２と反対側の端部には、矩形のフラップ６２が折罫線６４で区切られて設けられている。
【００１９】
側面２０の、側面１８の折罫線５２に隣接する端部には、台形状の内蓋片６６が折罫線６８で区切られて設けられている。内蓋片６６の表面には、点線状の半切り線７０が複数本互いに平行に形成されている。内蓋片６６の、折罫線６８と反対側の端部には、表示片付包装用箱１０の組立状態で、外蓋片４０のミシン線４２のわずかに外側に沿う凹部７２が形成されている。側面２０の、折罫線６８と反対側の端部には、台形状の内蓋片７４が折罫線７６で区切られて設けられている。内蓋片７４の表面にも、半切り線７０が形成されている。
【００２０】
糊付片２２の、連接方向の側縁部には、表示片７８が破断線８０で区切られて設けられている。表示片７８は、糊付片２２に隣接する第一表示片８２と、第一表示片８２の側縁部に隣接する第二表示片８４が設けられ、第一表示片８２と第二表示片８４は破断線８６で区切られている。第一表示片８２の、糊付片２２との連接方向の長さは、側面１６，２０よりもわずかに短い。第一表示片８２の、側面２０の折罫線６８の延長線に位置する端部８８には、破断線８０から少し離れた位置から破断線８６にわたって第一表示片８２の中心に向かって切り欠かれる凹部９０が設けられている。第一表示片８２の、端部８８と反対側の端部９２は、第一表示片８２の中心に向かってＶ字状にくぼんだ形状である。第二表示片８４は、破断線８６で第一表示片８２に折り重ねたときに第一表示片８２と一致する形状であり、第一表示片８２の端部８８に連続する端部８５には、凹部９０に連続する凹部９１が形成されている。さらに、第一表示片８２の端部９２に連続する端部９４も、第二表示片８４の中心に向かってＶ字状にくぼんだ形状である。
【００２１】
次に、この実施形態の表示片付包装用箱１０の組立方法の一例について説明する。なお、ここでは図５が表示片付包装用箱１０の箱体形成片１２の表面を見たものであり、箱体形成片１２の表面が凸になる折り方を正折り、そして裏面が凸になる折り方を逆折りと称する。
【００２２】
まず、緩衝片５０の糊付片５８の裏面に糊９６を塗布する。次に、折罫線５４を正折りして、糊付片５８の裏面が糊９６により側面１８の裏面に糊付けされる。次に、第二表示片８４の裏面に糊９８を塗布し、破断線８６を正折りして第二表示片８４の裏面が第一表示片８２の裏面に糊９８により糊付けされ、折り重ねられて表示片７８が形成される。なお、箱体形成片１２の表面には文字や絵柄等の印刷が設けられ、表示片７８は、第一表示片８２と第二表示片８４を折り重ねることで表示片７８の両面に印刷が設けられる。
【００２３】
次に、糊付片２２の裏面に糊１００を塗布し、まず折罫線３０を正折りし、次にミシン線２６を正折りし、側面１４の裏面は糊付片２２の表面に、糊１００により糊付けされる。表示片７８と緩衝片５０は、折り畳まれた側面１４，１６，１８，２０の内側に位置している。
【００２４】
次に、商品を収容し包装する工場等において、ミシン線２４，２６、折罫線２８，３０を各々９０°に正折りして図３のように四角形の箱体にする。このとき、表示片７８は側面１６からわずかに離れて平行に位置した仕切り片となる。そして、箱体の内側に商品を挿入する。挿入する方向は、表示片７８の端部９２，９４側から入れるようにする。このとき、端部９２，９４はＶ字状にくぼんでいるため、商品が引っかからず円滑に箱体中央部に導かれる。そして、内蓋片６６，７４の表面に糊１０２，１０４を各々塗布する。そして、折罫線３８，６４でフラップ３６，６２を９０°に正折りし、その後で折罫線７６で内蓋片７４を９０°に正折りし、さらに折罫線４８で外蓋片４６を９０°に正折りする。これにより外蓋片４６の裏面が糊１０４により内蓋片７４の表面に糊付けされ、箱体の一方の端部が閉鎖される。次に、緩衝片５０の折罫線５２，５４，５６を９０°に正折りし、折罫線６０を９０°に逆折りし、緩衝片５０をコの字形に形成する。その後、折罫線３４でフラップ３２を９０°に正折りし、折罫線６８で内蓋片６６を９０°に正折りし、さらに、折罫線４１で外蓋片４０を９０°に正折りする。これにより、外蓋片４０の裏面が糊１０２により内蓋片６６の表面に糊付けされ、図４のように閉じられ、表示片付包装用箱１０の組み立てが完了する。
【００２５】
次に、表示片付包装用箱１０を開封するときは、まず外蓋片４０のミシン線４２の内側を押してミシン線４２を破断し、破断したところに指を入れて側面１６を上方へ持ち上げてミシン線２４，２６を破断し開封する。ミシン線４２を押すときは、表示片７８が外蓋片４０の裏側に位置しているが凹部９０が形成されているため、支障とならない。そして、図１、図２に示すように、表示片７８を持ち上げて商品を取り出し、表示片７８の両面に印刷された商品についての説明等を読む。
【００２６】
この実施形態の表示片付包装用箱１０によれば、箱体の内側に位置する仕切り片に印刷を施して表示片７８とすることができ、商品の説明を印刷して情報を伝えることができ、以下のような作用効果を奏するものである。先ず、この表示片付包装用箱１０によれば、説明書を入れる手間がかからず、商品を表示片付包装用箱１０に入れる工程の作業効率がよく、生産スピードを向上させることができる。さらに、包装用箱に説明書を入れ忘れることを防止し、商品を包装した後に残った説明書を数えたり包装用箱の外側からセンサで確認したりする等の確認作業が不要であり、作業効率を高め、コストを抑えることができる。また、表示片７８は箱体の内側に位置しているため、表示片付包装用箱１０の開封時にミシン線等が破断するときに外蓋片４０や側面１６等が破損しても、表示片７８は破損することがなく、正確に商品についての情報を伝えることができる。緩衝片５０と表示片７８は緩衝機能を有し、商品を互いに異なる方向に緩衝的に保持することができ、商品を確実に保護することができる。表示片７８は端部９２，９４がＶ字状にくぼんでいるため、商品を入れる作業で引っかからず円滑に入れることができる。表示片７８には、凹部９０、９１が形成されているため、開封するときに外蓋片４０のミシン線４２を破断して外蓋片４０の一部を表示片付包装用箱１０の内側に押し込むことができ、円滑に開封することができる。箱体形成片１２の状態から、機械で糊付けが可能であり作業効率がよい。
【００２７】
なお、この考案は上記実施形態に限定されるものではなく、表示片が連接する部材は箱体形成片のいずれの部材でもよい。表示片の形状は、商品や箱体の形状に合わせて異なるものでもよい。表示片は、第一表示片と第二表示片が二つ折りされて設けられているもの以外でもよく、一枚でもよく、３個以上が連接されて折り重ねられているものでもよい。
【符号の説明】
【００２８】
１０  表示片付包装用箱
１２  箱体形成片
１４，１６，１８，２０  側面
２２  糊付片
２４，２６，４２  ミシン線
４０  外蓋片
７８  表示片
８２  第一表示片
８４  第二表示片
９０，９１  凹部
９２，９４  端部
【図１】
0003161821.tif 000003
【図２】
0003161821.tif 000004
【図３】
0003161821.tif 000005
【図４】
0003161821.tif 000006
【図５】
0003161821.tif 000007